(57)【要約】【課題】簡単に分解や組み立てでき、環状の管状部材を変形させることで小さい収納スペースで収納でき、かつ外出する際に携帯便利なフラフープを提供する。【解決手段】フラフープ１００は、管状部材１１０と、接続ジョイント１２０とからなる。管状部材１１０は、プラスチック製チューブ材を円環状に曲げられて弾性変形可能なものであり、接続ジョイント１２０は、第１のジョイント部材１２０Ａと、第２のジョイント部材１２０Ｂとを備え、第１のジョイント部材１２０Ａは、第１のジョイント部材本体１２１と、第１のジョイント部材本体１２１に設けられたロック手段と構成されている。【選択図】 図３
2010253180.tif 000002
【特許請求の範囲】
【請求項１】
弾性変形可能な管状部材と、
前記管状部材の両端に装着され、該管状部材の両端を着脱可能に接続させるジョイント部材とを備え、
使用時には大径な環状に接続され、不使用時には前記管状部材を多重に巻回して小径な環状に接続されることを特徴とするフラフープ。
【請求項２】
前記ジョイント部材は、
前記管状部材の一端に装着された凸部を有する第１のジョイント部材と、
前記管状部材の他端に装着され、前記第１のジョイント部材の凸部が嵌入可能な凹部を有する第２のジョイント部材と、
前記第１のジョイント部材の凸部が前記第２のジョイント部材の凹部から抜け出すのを阻止するロック手段とを備え、
前記第１のジョイント部材と前記第２のジョイント部材は着脱可能に接続されることを特徴とする請求項１に記載のフラフープ。
【請求項３】
前記ロック手段は、一端に前記第２のジョイント部材に係止する係止部と、前記係止部を前記第２のジョイント部材に係止するように付勢するバネと、第１のジョイント部材の側面から露出してワンタッチでロックを解除する押し部とを有し、他端が軸を介して第１のジョイント部材の内部に回動可能に固定されることを特徴とする請求項２に記載のフラフープ。
【請求項４】
前記ロック手段は、前記第１のジョイント部材の凸部に設けられた第１の磁石と、前記第２のジョイント部材の凹部に設けられた第２の磁石とから構成されることを特徴とする請求項２に記載のフラフープ。
【請求項５】
前記第１の磁石は、前記凸部の端面の内側に設けられ、前記第２の磁石は、前記凹部の底面の外側に設けられ、
前記第１の磁石と前記第２の磁石は、前記凸部の端面と前記凹部の底面を介して吸着することを特徴とする請求項４に記載のフラフープ。
【請求項６】
使用時に回転数を計測し表示するカウンターが設けられていることを特徴とする請求項１乃至５のいずれかに記載のフラフープ。
【発明の詳細な説明】
【技術分野】
【０００１】
本発明は、遊戯具、運動器具としてのフラフープに関する。詳しくは、簡単に分解、連結でき、収納性、携帯性を向上したフラフープに係るものである。
【背景技術】
【０００２】
従来、フラフープは、プラスチック管を円形に成形し、両端を結合して全体的にリング状としたものであり、その直径は、１ｍほどから数メーターまで、比較的に大きいため、収納する際に占める空間が比較的に大きく、かつ携帯不便である。
【０００３】
また、フラフープは、遊戯具、運動器具としての使用が主流だが、近年、パフォーマンスや競技、ダイエット用品としても広く使用されている。そのため、小さい収納スペースで収納でき、かつ外出する際に携帯便利なフラフープが望まれている。
【０００４】
上記課題を解決するために、近年、複数の円弧管体を連結して環状管体を構成し、かつ分解や組み立てが簡単にできるフラフープが提案されている（例えば、特許文献１参照）。
【０００５】
この場合、複数の円弧管体一端に段付状の口径が比較的小さい内嵌端部を形成し、該複数の円弧管体他端を口径そのままの外嵌端部に形成して、それぞれ円弧管体の内嵌端部を隣接する他の円弧管体の外嵌端部に嵌入連結し、かつ弾性ゴム端を順良くそれぞれ円弧嵌体内に通して両端を結び、該複数の円弧管体を嵌接して形成された環状管体を該ゴム帯により適当な弾力で締合わせて牢固に保持するように構成される。
【先行技術文献】
【特許文献】
【０００６】
【特許文献１】実開平７−３６６８号公報
【発明の概要】
【発明が解決しようとする課題】
【０００７】
しかしながら、特許文献１に記載のフラフープは、分解して、小さい収納スペースで収納でき、かつ外出する際に携帯便利であるが、収納する際に環状管体を複数の円弧管体に分解すること、および使用時に複数の円弧管体を連結して環状管体を構成する繁雑な作業が必要であるという問題点があった。
【０００８】
また、特許文献１に記載のフラフープの場合は、分解された部品をなくす恐れがあるという欠点がある。さらに、複数の円弧管体を接続するための連結具が多数必要のため、製作コストが高いという問題点もあった。
【０００９】
そこで、本発明は、このような問題点を考慮してなされたもので、一箇所で簡単に分解や組み立てでき、環状の管状部材を変形させることで小さい収納スペースで収納でき、かつ外出する際に携帯便利なフラフープを提供することを目的とする。
【課題を解決するための手段】
【００１０】
上記課題を解決するため、本発明に係るフラフープは、弾性変形可能な管状部材と、前記管状部材の両端に装着され、該管状部材の両端を着脱可能に接続させるジョイント部材とを備え、使用時には大径な環状に接続され、不使用時には前記管状部材を多重に巻回して小径な環状に接続されることを特徴とするものである。
【００１１】
例えば、前記ジョイント部材は、前記管状部材の一端に装着された凸部を有する第１のジョイント部材と、前記管状部材の他端に装着され、前記第１のジョイント部材の凸部が嵌入可能な凹部を有する第２のジョイント部材と、前記第１のジョイント部材の凸部が前記第２のジョイント部材の凹部から抜け出すのを阻止するロック手段とを備え、前記第１のジョイント部材と前記第２のジョイント部材は着脱可能に接続される。
【００１２】
また例えば、前記ロック手段は、一端に前記第２のジョイント部材に係止する係止部と、前記係止部を前記第２のジョイント部材に係止するように付勢するバネと、第１のジョイント部材の側面から露出してワンタッチでロックを解除する押し部とを有し、他端が軸を介して第１のジョイント部材の内部に回動可能に固定される。
【００１３】
また例えば、前記ロック手段は、前記第１のジョイント部材の凸部に設けられた第１の磁石と、前記第２のジョイント部材の凹部に設けられた第２の磁石とから構成される。
【００１４】
また例えば、前記第１の磁石は、前記凸部の端面の内側に設けられ、前記第２の磁石は、前記凹部の底面の外側に設けられ、前記第１の磁石と前記第２の磁石は、前記凸部の端面と前記凹部の底面を介して吸着する。
【００１５】
また例えば、使用時に回転数を計測し表示するカウンターが設けられている。
【発明の効果】
【００１６】
本発明によれば、フラフープは、環状の管状部材の一箇所で簡単に分解や組み立てでき、使用時には大径な環状に接続され、不使用時には、管状部材を多重に巻回して、小径な環状に接続されることにより、環状の管状部材を変形させることで小さい収納スペースで収納でき、かつ外出する際に携帯便利なフラフープを提供することができる。そのため、販売において、売り場のスペースが少なくてもすむ。また、物流において、他の商品と混載して梱包、発送ができるため、小売店に対して単品でのフォロー（例えば、小量、単色での提供）ができるという効果が得られる。
【００１７】
また、ロック手段は、一端に第２のジョイント部材に係止する係止部と、係止部を第２のジョイント部材に係止するように付勢するバネと、第１のジョイント部材の側面から露出してワンタッチでロックを解除する押し部とを有し、他端が軸を介して第１のジョイント部材の内部に回動可能に固定されることにより、ワンタッチで環状の管状部材を分解や組み立てできる。そのため、繁雑な分解、組み立て作業が必要としない。
【００１８】
また、ロック手段は、第１のジョイント部材の凸部に設けられた第１の磁石と、第２のジョイント部材の凹部に設けられた第２の磁石とから構成されることで、分解や組み立て作業をより簡単に行うことができると共に、構造が比較的簡単で、コストの削減を図ることができる。
【００１９】
また、ロック手段において、第１の磁石は、第１のジョイント部材の凸部の端面の内側に設けられ、第２の磁石は、第２のジョイント部材の凹部の底面の外側に設けられ、第１の磁石と第２の磁石は、凸部の端面と前記凹部の底面を介して吸着することで、第１の磁石および第２の磁石が容易、かつ確実に固定することができ、脱落を防止することができる。
【００２０】
また、使用時に回転数を計測し表示するカウンターが設けられていることで、運動量等を容易に確認できる。
【図面の簡単な説明】
【００２１】
【図１】第１の実施の形態のフラフープ１００の不使用時の変形状態を示す図である。
【図２】フラフープ１００の使用時の状態を示す図である。
【図３】フラフープ１００の構成を示す分解図である。
【図４】ジョイント１２０の構成を示す斜視図である。
【図５】ジョイント１２０の構成を示す断面図である。
【図６】第１のジョイント部材１２０Ａの構成を示す斜視図である。
【図７】第１のジョイント部材本体１２１の構成を示す斜視図である。
【図８】ロック手段の構成を示す斜視図である。
【図９】第２のジョイント部材１２０Ｂの構成を示す斜視図である。
【図１０】第２の実施の形態のフラフープ２００の構成を示す概略図である。
【図１１】接続ジョイント２２０の組み立て手順を示す図である。
【図１２】第３の実施の形態のフラフープ３００の構成を示す概略図である。
【図１３】フラフープ１００の不使用時の他の変形状態を示す図である。
【発明を実施するための形態】
【００２２】
以下、本発明に係るフラフープを実施するための形態を、図を参照して説明する。
【００２３】
まず、第１の実施の形態について、図を参照して説明する。図１は、第１の実施の形態のフラフープ１００の不使用時（収納時）の状態を示している。また、図２において、フラフープ１００の使用時の状態を示している。図３は、フラフープ１００の構成を示す分解図である。図３において、フラフープ１００の接続部が分解された状態を示している。図４は、接続ジョイント１２０の構成を示す斜視図である。図５は、接続ジョイント１２０の構成を示す断面図である。図６は、第１のジョイント部材１２０Ａの構成を示す斜視図である。図６において、ロック手段が装着される状態を示している。図７は、第１のジョイント部材本体１２１の構成を示す斜視図である。図８は、ロック手段の構成を示す斜視図である。図９は、第２のジョイント部材１２０Ｂの構成を示す斜視図である。
【００２４】
図１〜図８に示すように、フラフープ１００は、管状部材１１０と、接続ジョイント１２０とからなる。
【００２５】
管状部材１１０は、プラスチック製チューブ材を円環状に曲げられて弾性変形可能なものである。管状部材１１０の両端には、第１のジョイント部材１２０Ａおよび第２のジョイント部材１２０Ｂを固定するためのピン孔が設けられている。なお、管状部材１１０はプラスチック以外の材料から形成するようにしてもよい。
【００２６】
接続ジョイント１２０は、管状部材１１０の一端に装着される第１のジョイント部材１２０Ａと、管状部材１１０の一他端に装着される第２のジョイント部材１２０Ｂとを備える。
【００２７】
第１のジョイント部材１２０Ａは、例えば樹脂材料から成型された第１のジョイント部材本体１２１と、第１のジョイント部材本体１２１に設けられたロック手段と構成されている。また、第１のジョイント部材１２０Ａには、使用時に回転数等を計測し表示するカウンター１３０が設けられている。
【００２８】
図５および図８に示すように、ロック手段は、回動部材１２２、軸１２３、およびバネ１２４とからなり、回動部材１２２の中央部に第１のジョイント部材の側面から露出してワンタッチでロックを解除する押し部１２２ａが形成されている。また、回動部材１２２の一端に第２のジョイント部材に係止する係止部１２２ｂを有し、他端が軸１２３を介して第１のジョイント部材本体１２１の内部に回動可能に固定される。バネ１２４は、回動部材１２２に設けられたバネ装着部１２２ｃに装着され、係止部１２２ｂを第２のジョイント部材１２０Ｂの端部に係止するように付勢する。
【００２９】
図６および図７に示すように、第１のジョイント部材本体１２１は、太径部１２１ａと、フランジ部１２１ｂと、細径部１２１ｃとを有する。太径部１２１ａは、円筒状に形成され、この太径部１２１ａに軸１２３を固定するための穴１２１ｆ、第１のジョイント部材１２０Ａと管状部材１１０とを固定するためのピン１２５を挿入する穴１２１ｇ、およびカウンター１３０を装着するための凹部１２１ｈが設けられている。穴１２１ｆおよび穴１２１ｇは、太径部１２１ａの対向する２箇所に設けられている。また、フランジ部１２１ｂには、回動部材１２２の押し部１２２ａを露出させるための開口１２１ｅが形成されている。また、細径部１２１ｃには、回動部材１２２を収納するための溝１２１ｄが形成されている。この細径部１２１ｃは第２のジョイント部材１２０Ｂの凹部に嵌入する凸部である。
【００３０】
図９に示すように、第２のジョイント部材１２０Ｂは、例えば樹脂材料から円筒状に成型され、筒部１２６ａの一端にフランジ部１２６ｂが形成されている。また、筒部１２６ａの側面に第２のジョイント部材１２０Ｂと管状部材１１０とを固定するためのピン１２５を挿入する穴１２６ｃが設けられている。穴１２６ｃは、筒部１２６ａの対向する２箇所に設けられている。
【００３１】
このように本実施の形態においては、フラフープ１００は、チューブ材を環状に曲げられて弾性変形可能な管状部材１１０と、管状部材１１０の一端に装着された第１のジョイント部材１２０Ａと、管状部材１１０の他端に装着され、第１のジョイント部材１２０Ａの凸部が嵌入可能な凹部を有する第２のジョイント部材１２０Ｂと、第１のジョイント部材１２０Ａの凸部が第２のジョイント部材１２０Ｂの凹部から抜け出すのを阻止するロック手段とを備え、第１のジョイント部材１２０Ａと第２のジョイント部材１２０Ｂは着脱可能に接続される。
【００３２】
そして、ロック手段は、一端に第２のジョイント部材１２０Ｂに係止する係止部１２２ｂと、係止部１２２ｂを第２のジョイント部材１２０Ｂに係止するように付勢するバネ１２４と、第１のジョイント部材１２０Ａの側面から露出してワンタッチでロックを解除する押し部１２２ａとを有し、他端が軸１２３を介して第１のジョイント部材１２０Ａの内部に回動可能に固定される。
【００３３】
これにより、フラフープ１００は、環状の管状部材の一箇所で簡単に分解や組み立てできるようにしたことにより、環状の管状部材を変形させることで小さい収納スペースで収納でき、かつ外出する際に携帯便利なフラフープを提供することができる。そのため、販売において、売り場のスペースが少なくてもすむ。また、物流において、他の商品と混載して梱包、発送ができるため、小売店に対して単品でのフォロー（例えば、小量、単色での提供）ができるという効果が得られる。
【００３４】
また、ロック手段により、ワンタッチで環状の管状部材を分解や組み立てできる。そのため、繁雑な分解、組み立て作業が必要としない。また、カウンター１３０を設け、使用時の回転数、または回転数に対応するカロリー等を計測、表示することで、運動量を容易に確認できる。
【００３５】
次に、第２の実施の形態について、図を参照して説明する。図１０は、本発明の第２の実施の形態のフラフープ２００の構成を示す概略図である。図１０において、フラフープ２００の接続部のみを示している。図１１は、接続ジョイント２２０の組み立て手順を示す図である。図１１において、接続ジョイント２２０の断面図を示している。
【００３６】
図１０、図１１に示すように、フラフープ２００は、管状部材２１０と、接続ジョイント２２０とからなる。
【００３７】
管状部材２１０は、プラスチック製チューブ材を円環状に曲げられて弾性変形可能なものである。なお、管状部材２１０はプラスチック以外の材料から形成するようにしてもよい。
【００３８】
接続ジョイント２２０は、管状部材２１０の一端に装着される第１のジョイント部材２２０Ａと、管状部材２１０の他端に装着される第２のジョイント部材２２０Ｂとを備える。
【００３９】
第１のジョイント部材２２０Ａは、例えば樹脂材料から成型された第１のジョイント部材本体２２１と、この第１のジョイント部材本体２２１に設けられたロック手段と構成されている。
【００４０】
ロック手段は、回動部材２２２、軸２２３、およびバネ２２４とからなり、回動部材２２２の中央部に第１のジョイント部材の側面から露出してワンタッチでロックを解除する押し部２２２ａが形成されている。また、回動部材２２２の一端に第２のジョイント部材に係止する係止部２２２ｂを有し、他端が軸２２３を介して第１のジョイント部材本体２２１の内部に回動可能に固定される。また、係止部２２２ｂの係止面を角度αの斜面とされる。係止面を斜面にすることで、係止の外れを防止することができる。バネ２２４は、回動部材２２２に設けられたバネ装着部２２２ｃに装着され、係止部２２２ｂを第２のジョイント部材２２０Ｂの端部に係止するように付勢する。
【００４１】
また、第１のジョイント部材本体２２１は、太径部２２１ａと、フランジ部２２１ｂと、細径部２２１ｃとを有する。太径部２２１ａは、円筒状に形成され、外周面に管状部材２１０からの脱落を防止する複数のリング状凸部が形成されている。この太径部２２１ａに軸２２３を固定するための穴２２１ｆが設けられている。穴２２１ｆは、太径部２２１ａの対向する２箇所に設けられている。また、フランジ部２２１ｂには、回動部材２２２の押し部２２２ａを露出させための開口２２１ｅが形成されている。また、細径部２２１ｃには、回動部材２２２を収納するための溝２２１ｄが形成されている。この細径部２２１ｃは第２のジョイント部材２２０Ｂの凹部に嵌入する凸部である。
【００４２】
また、第２のジョイント部材２２０Ｂは、例えば樹脂材料から円筒状に成型され、筒部２２６ａの一端にフランジ部２２６ｂが形成されている。また、筒部２２６ａの他端の端面を角度αの斜面とされる。また、筒部１２６ａの外周面に管状部材２１０からの脱落を防止する複数のリング状凸部が設けられている。
【００４３】
このように本実施の形態においては、フラフープ２００は、チューブ材を環状に曲げられて弾性変形可能な管状部材２１０と、管状部材２１０の一端に装着された第１のジョイント部材２２０Ａと、管状部材２１０の他端に装着され、第１のジョイント部材２２０Ａの凸部が嵌入可能な凹部を有する第２のジョイント部材２２０Ｂと、第１のジョイント部材２２０Ａの凸部が第２のジョイント部材２２０Ｂの凹部から抜け出すのを阻止するロック手段とを備え、第１のジョイント部材２２０Ａと第２のジョイント部材２２０Ｂは着脱可能に接続される。
【００４４】
そして、ロック手段は、一端に第２のジョイント部材２２０Ｂに係止する係止部２２２ｂと、係止部２２２ｂを第２のジョイント部材２２０Ｂに係止するように付勢するバネ２２４と、第１のジョイント部材２２０Ａの側面から露出してワンタッチでロックを解除する押し部２２２ａとを有し、他端が軸２２３を介して第１のジョイント部材２２０Ａの内部に回動可能に固定される。
【００４５】
また、第２の実施の形態のフラフープ２００は、上述した第１の実施の形態と同様の効果が得られる。
【００４６】
次に、第３の実施の形態について、図を参照して説明する。図１２は、本発明の第３の実施の形態のフラフープ３００の構成を示す概略図である。図１２（ａ）は、フラフープ３００の接続部が分解された状態を示している。図１２（ｂ）は、フラフープ３００の接続部が接続された状態を示している。
【００４７】
図１２に示すように、フラフープ３００は、管状部材３１０と、接続ジョイント３２０とからなる。このフラフープ３００において、第１のジョイント部材３２０Ａの凸部が第２のジョイント部材３２０Ｂの凹部から抜け出すのを阻止するロック手段は、第１のジョイント部材３２０Ａの凸部に設けられた第１の磁石３２４と、第２のジョイント部材３２０Ｂの凹部に設けられた第２の磁石３２８とから構成される。
【００４８】
管状部材３１０は、プラスチック製チューブ材を円環状に曲げられて弾性変形可能なものである。なお、管状部材３１０はプラスチック以外の材料から形成するようにしてもよい。
【００４９】
接続ジョイント３２０は、管状部材３１０の一端に装着される第１のジョイント部材３２０Ａと、管状部材３１０の他端に装着される第２のジョイント部材３２０Ｂとを備える。
【００５０】
第１のジョイント部材３２０Ａは、太径部３２１と、フランジ部３２２と、細径部３２３と、ロック手段の一部としての第１の磁石３２４とから構成されている。太径部３２１は、円筒状に形成され、外周面に管状部材３１０からの脱落を防止する複数のリング状凸部が形成されている（図示せず）。この細径部３２３は第２のジョイント部材３２０Ｂの凹部に嵌入する凸部である。また、第１の磁石３２４は、細径部３２３の凸部の端面の内側に設けられている。
【００５１】
第２のジョイント部材３２０Ｂは、有底の円筒状に形成され、筒部３２５の一端にフランジ部３２７が形成され、他端に底面３２６が形成されている。また、筒部３２５の外周面に管状部材３１０からの脱落を防止する複数のリング状凸部が設けられている（図示せず）。また、第１の磁石３２８は、底面３２６の外側に設けられている。
【００５２】
第１のジョイント部材３２０Ａの凸部を第２のジョイント部材３２０Ｂの凹部に嵌入する際に、第１の磁石と第２の磁石は、凸部の端面と凹部の底面を介して吸着するようになされる。
【００５３】
このように本実施の形態においては、フラフープ３００は、チューブ材を環状に曲げられて弾性変形可能な管状部材３１０と、管状部材３１０の一端に装着された第１のジョイント部材３２０Ａと、管状部材３１０の他端に装着され、第１のジョイント部材３２０Ａの凸部が嵌入可能な凹部を有する第２のジョイント部材３２０Ｂと、第１のジョイント部材３２０Ａの凸部が第２のジョイント部材３２０Ｂの凹部から抜け出すのを阻止するロック手段とを備え、第１のジョイント部材３２０Ａと第２のジョイント部材３２０Ｂは着脱可能に接続される。
【００５４】
そして、ロック手段は、第１のジョイント部材３２０Ａの凸部に設けられた第１の磁石３２４と、第２のジョイント部材３２０Ｂの凹部に設けられた第２の磁石３２８とから構成される。
【００５５】
これにより、フラフープ３００は、環状の管状部材の一箇所で簡単に分解や組み立てできるようにしたことにより、環状の管状部材を変形させることで小さい収納スペースで収納でき、かつ外出する際に携帯便利なフラフープを提供することができる。
【００５６】
また、ロック手段により、ワンタッチで環状の管状部材を分解や組み立てできる。そのため、繁雑な分解、組み立て作業が必要としない。さらに、ロック手段の構造が簡単で、コストの削減を図ることができる。
【００５７】
図１３は、フラフープ１００の不使用時の他の変形状態を示す図である。本発明のフラフープ２００，３００も同様である。
【００５８】
図１３においては、フラフープ１００の収納時の状態を示している。図３に示すように、フラフープ１００の収納時は、第１のジョイント部材と第２のジョイント部材の接続を外して、管状部材を変形させ二重に曲げた後に、第１のジョイント部材と第２のジョイント部材を接続することで、直径の小さい二重リングになり、小さい収納スペースで収納でき、かつ外出時に携帯便利になる。
【００５９】
これに対して、フラフープ１００の使用時の状態は、図２に示すように、第１のジョイント部材と第２のジョイント部材を接続することで、リング状にし、通常のように利用できる。
【００６０】
また、フラフープ１００の収納時は、図１に示すように、第１のジョイント部材と第２のジョイント部材の接続を外して、管状部材を変形させ三重に曲げた後に、第１のジョイント部材と第２のジョイント部材を接続することで、直径をさらに小さい三重リングにすることで、より小さい収納スペースで収納でき、かつ外出時に携帯便利になる。
【００６１】
なお、上述実施の形態においては、第１のジョイント部材および第２のジョイント部材は、樹脂材料から形成されるものとしたが、これに限定されるものではない。
【００６２】
また、上述した第１の実施の形態においては、カウンター１３０を設けるものとしたが、第２、３の実施の形態のフラフープ２００，３００に回転数を計測し表示するカウンターを設けるようにしてもよい。また、上述した第１の実施の形態において、カウンター１３０の代わりにＬＥＤランプを設け、回転を始めるとＬＥＤが点滅したりして遊び心を誘うようにしてもよい。なお、上述した第１の実施の形態において、カウンター１３０を第１のジョイント部材のフランジ部１２１ｂに設けたものについて説明したが、これに限定されるものではない。
【産業上の利用可能性】
【００６３】
この発明は、遊戯具、運動器具としてのフラフープの収納性、携帯性を向上する目的に利用できる。
【符号の説明】
【００６４】
１００，２００，３００  フラフープ
１１０，２１０，３１０  管状部材
１２０，２２０，３２０  接続ジョイント
１２０Ａ，２２０Ａ，３２０Ａ  第１のジョイント部材
１２０Ｂ，２２０Ｂ，３２０Ｂ  第２のジョイント部材
１２１，２２１  第１のジョイント部材本体
１２１ａ，２２１ａ，３２１  太径部
１２１ｂ，２２１ｂ，３２２  フランジ部
１２１ｃ，２２１ｃ，３２３  細径部
１２１ｄ，２２１ｄ  溝
１２１ｅ，２２１ｅ  開口
１２１ｆ，１２１ｇ  穴
１２１ｈ  凹部
１２２，２２２  回動部材
１２３，２２３  軸
１２４，２２４  バネ
１２５  ピン
３２４  第１の磁石
３２５  筒部
３２６  底面
３２７  フランジ部
３２８  第２の磁石
【図１】
2010253180.tif 000003
【図２】
2010253180.tif 000004
【図３】
2010253180.tif 000005
【図４】
2010253180.tif 000006
【図５】
2010253180.tif 000007
【図６】
2010253180.tif 000008
【図７】
2010253180.tif 000009
【図８】
2010253180.tif 000010
【図９】
2010253180.tif 000011
【図１０】
2010253180.tif 000012
【図１１】
2010253180.tif 000013
【図１２】
2010253180.tif 000014
【図１３】
2010253180.tif 000015